(57)【要約】【課題】広範囲を照らすことも特定の方向を照らすことも可能な汎用性の高い照明装置を提供する。【解決手段】この照明装置は、正面灯、サイド灯が基体部の３つの側面に沿って外側を向いた広域照射位置においては、照明装置の周囲を広範囲に照らすことができる。また、この照明装置は展開プレートが開いた展開照射位置では正面灯及びサイド灯が全て正面方向に光を照射する。そして、基体部の回転及び正面灯、サイド灯の仰角、俯角の変化により、照明装置を投光器として機能させることができる。またさらに、正面灯、サイド灯は光の照射方向をそれぞれ独自に設定することができ、応用性、汎用性に優れた照明装置として機能する。【選択図】図１
2018195420.tif 000002
【特許請求の範囲】
【請求項１】
略正三角柱形状の基体部と、
前記基体部の一側面に正面灯ヒンジ部を介して設置される正面灯と、
前記側面の左右の側辺にそれぞれ側辺ヒンジを介して設置される展開プレートと、
前記展開プレートにそれぞれサイド灯ヒンジ部を介して設置されるサイド灯と、を備え、
前記正面灯ヒンジ部は、前記側面の上方に固定された正面仰動ヒンジと、前記正面灯に固定した正面俯動ヒンジと、前記正面仰動ヒンジと正面俯動ヒンジとを繋ぐ正面俯動アームと、を有し、
前記サイド灯ヒンジ部は、前記展開プレートの上部に固定された仰動ヒンジと、前記サイド灯に固定した俯動ヒンジと、前記仰動ヒンジと俯動ヒンジとを繋ぐ俯動アームと、を有することを特徴とする照明装置。
【請求項２】
側辺ヒンジと正面仰動ヒンジと正面俯動ヒンジと仰動ヒンジと俯動ヒンジとを、任意の角度で固定するフリーストップ型のトルクヒンジで構成したことを特徴とする請求項１記載の照明装置。
【請求項３】
正面灯とサイド灯とが、光を周囲に拡散して照射する拡散照射部と、光を直線的に照射する直光照射部と、を有することを特徴とする請求項１または請求項２記載の照明装置。
【請求項４】
支柱を基体部に着脱可能に設置する支柱ホルダをさらに有することを特徴とする請求項１乃至請求項３のいずれかに記載の照明装置。
【発明の詳細な説明】
【技術分野】
【０００１】
本発明は、主に屋外の工事現場や救助活動等に用いる照明装置に関するものである。
【背景技術】
【０００２】
夜間における工事現場や救援救助活動、消火活動等においては作業現場を照らす照明装置が必要不可欠である。そして、このような活動において作業現場を広範囲に照らす照明装置として、例えば下記［特許文献１］に記載されているようなバルーン型照明装置があげられる。
【先行技術文献】
【特許文献】
【０００３】
【特許文献１】特開２００３−１５７７１２号公報
【発明の概要】
【発明が解決しようとする課題】
【０００４】
しかしながら、このような作業現場では時に特定の方向を照らしたい場合が存在する。しかしながら［特許文献１］に記載のバルーン型照明装置は広範囲を照らす用途に限定され、汎用性に乏しいという問題点がある。また、バルーン型照明装置はサイズが大きく、取り扱いや携行性に劣ることに加え、風雨等の悪天候に弱いという問題点がある。
【０００５】
本発明は上記事情に鑑みてなされたものであり、小型で携行性に優れ広範囲を照らすことも特定の方向を照らすことも可能な汎用性の高い照明装置を提供することを目的とする。
【課題を解決するための手段】
【０００６】
本発明は、
（１）略正三角柱形状の基体部２０と、前記基体部２０の一側面（前面２２）に正面灯ヒンジ部３０を介して設置される正面灯４０ａと、前記側面の左右の側辺にそれぞれ側辺ヒンジ２４を介して設置される展開プレート５２と、前記展開プレート５２にそれぞれサイド灯ヒンジ部６０を介して設置されるサイド灯４０ｂと、を備え、
前記正面灯ヒンジ部３０は、前記側面の上方に固定された正面仰動ヒンジ３２ａと、前記正面灯４０ａの保持プレート４２ａに固定した正面俯動ヒンジ３２ｂと、前記正面仰動ヒンジ３２ａと正面俯動ヒンジ３２ｂとを繋ぐ正面俯動アーム３２ｃと、を有し、
前記サイド灯ヒンジ部６０は、前記展開プレート５２の上部に固定された仰動ヒンジ６２ａと、前記サイド灯４０ｂの保持プレート４２ｂに固定した俯動ヒンジ６２ｂと、前記仰動ヒンジ６２ａと俯動ヒンジ６２ｂとを繋ぐ俯動アーム６２ｃと、を有することを特徴とする照明装置１００を提供することにより、上記課題を解決する。
（２）側辺ヒンジ２４と正面仰動ヒンジ３２ａと正面俯動ヒンジ３２ｂと仰動ヒンジ６２ａと俯動ヒンジ６２ｂとを、任意の角度で固定するフリーストップ型のトルクヒンジで構成したことを特徴とする上記（１）記載の照明装置１００を提供することにより、上記課題を解決する。
（３）正面灯４０ａとサイド灯４０ｂとが、光を周囲に拡散して照射する拡散照射部４６ａと、光を直線的に照射する直光照射部４６ｂと、を有することを特徴とする上記（１）または（２）記載の照明装置１００を提供することにより、上記課題を解決する。
（４）支柱を基体部２０に着脱可能に設置する支柱ホルダ２８をさらに有することを特徴とする上記（１）乃至（３）のいずれかに記載の照明装置１００を提供することにより、上記課題を解決する。
【発明の効果】
【０００７】
本発明に係る照明装置は、正面灯、サイド灯が基体部の３つの側面に沿って外側を向いた広域照射位置においては、照明装置の周囲を広範囲に照らすことができる。また、正面灯ヒンジ部及びサイド灯ヒンジの正面俯動アーム、俯動アームを外側に立ち上げた状態で正面灯、サイド灯を下方に回動させることで下方も照らすことができる。
また、本発明に係る照明装置は展開プレートが開いた展開照射位置では正面灯及びサイド灯が全て正面方向に光を照射する。そして、基体部の回転及び正面灯、サイド灯の仰角、俯角の変化により、照明装置を投光器として機能させることができる。
またさらに、正面灯、サイド灯の仰角俯角及び展開プレートの展開角度はそれぞれ独立して変化させることができる。このため、正面灯と左右のサイド灯の方向をそれぞれ独自に設定することができ、応用性、汎用性に優れた照明装置として機能する。
またさらに本発明に係る照明装置は、従来のバルーン型照明装置と比較してサイズが小さく、取り扱い性、携行性に優れている他、風雨にも強く悪天候でも安定して使用することができる。
【図面の簡単な説明】
【０００８】
【図１】本発明に係る照明装置の広域照射時を示す図である。
【図２】本発明に係る照明装置の展開照射時を示す図である。
【図３】本発明に係る照明装置の正面灯及びサイド灯を外した状態を示す図である。
【図４】本発明を構成する正面灯及びサイド灯を示す図である。
【図５】本発明を構成する正面灯及びサイド灯の照度分布を示す図である。
【図６】本発明を構成する正面灯ヒンジ部及びサイド灯ヒンジ部を説明する図である。
【図７】本発明を構成する正面灯ヒンジ部の動作と照射方向を説明する図である。
【図８】本発明を構成するサイド灯ヒンジ部の動作と照射方向を説明する図である。
【図９】本発明に係る照明装置の広域照射時の照度分布を示す図である。
【図１０】本発明に係る照明装置の展開照射時の照度分布を示す図である。
【図１１】本発明に好適な支柱の例を示す図である。
【図１２】本発明に好適な支柱の模式的な断面図である。
【発明を実施するための形態】
【０００９】
本発明に係る照明装置１００の実施の形態について図面に基づいて説明する。ここで、図１（ａ）は本発明に係る照明装置１００の広域照射時の正面図であり、図１（ｂ）は上面図である。また、図２（ａ）は照明装置１００の展開照射時の正面図であり、図２（ｂ）は上面図である。また、図３は正面灯及びサイド灯を外した状態を正面側から見た図である。尚、本願の図面においては、電気配線及び電気回路に関する構成の図示を省略する。
【００１０】
本発明に係る照明装置１００は、略正三角形の上面２０ａ及び下面２０ｂを備えた略正三角柱形状の基体部２０と、この基体部２０の一側面（以後、前面２２とする）に正面灯ヒンジ部３０を介して設置される正面灯４０ａと、前面２２の左右の側辺にそれぞれ側辺ヒンジ２４を介して設置される展開プレート５２と、この展開プレート５２にそれぞれサイド灯ヒンジ部６０を介して設置されるサイド灯４０ｂと、正面灯４０ａ及びサイド灯４０ｂを保持する保持プレート４２ａ、４２ｂと、を有している。
【００１１】
尚、本発明に係る照明装置１００は基本的に台座、台車、三脚、工事車両や緊急車両等に設置された支柱に取り付けて使用する。よって、基体部２０には支柱を取り付け可能な支柱ホルダ２８が設けられる。尚、支柱ホルダ２８は基体部２０の中心軸と支柱の中心軸とが一致する位置に設けるとともに、支柱を着脱可能及び回転可能に保持するものが好ましい。この構成によれば、照明装置１００を取り外して適宜必要な場所の支柱に取り付けて使用することができることに加え、特定の方向に向けて回転させることができ、照明装置１００の汎用性をさらに向上させることができる。尚、用いる支柱ホルダ２８には特に限定は無く、例えば図３に示すように、内径が支柱の外径と略同等な管材を下面２０ｂの中心に設けて支柱ホルダ２８としても良いし、図１２に示すように下面２０ｂの中心にブラケットを固定して支柱ホルダ２８としても良い。
【００１２】
また、正面灯４０ａ、サイド灯４０ｂの裏面には、前述のように保持プレート４２ａ、４２ｂが固定して、この保持プレート４２ａ、４２ｂを介して正面灯ヒンジ部３０、サイド灯ヒンジ部６０がそれぞれ固定する。また、保持プレート４２ａ、４２ｂの下辺には摘み部４３ａが形成され、ユーザはこの摘み部４３ａを用いて正面灯４０ａ、サイド灯４０ｂの仰角、俯角を変化させることができる。また、サイド灯４０ｂの保持プレート４２ｂの外側の側辺には展開摘み部４３ｂが形成され、ユーザはこの展開摘み部４３ｂを用いて展開プレート５２を回動させることができる。尚、展開摘み部４３ｂは左右の保持プレート４２ｂで設置位置を上下方向でずらし、展開プレート５２が閉じた状態で互いに接触しないようにすることが好ましい。
【００１３】
また、基体部２０は軽量化や電気配線の取り回しの観点から、上面２０ａと下面２０ｂの頂部をそれぞれ柱部材２６、２６ａで繋ぎ、側面が開口したフレーム構造とすることが好ましい。この場合、前面２２の左右の側辺に位置する柱部材２６ａに側辺ヒンジ２４を介して展開プレート５２が固定する。そして、展開プレート５２は側辺ヒンジ２４を軸にして、図１に示す基体部２０側に閉じた広域照射位置と、図２に示す基体部２０の正面側を向くように開いた展開照射位置との間で回動する。尚、展開プレート５２は任意の角度で位置が固定するフリーストップ型のトルクヒンジ等を用いることが好ましい。そして、展開プレート５２が基体部２０側に閉じた広域照射位置においては正面灯４０ａ、サイド灯４０ｂが基体部２０の３つの側面に沿って外側を向き、後に説明する図９（ａ）の照度分布図に表すように、照明装置１００の周囲を３６０°照らすことができる。また、展開プレート５２が正面側を向くように開いた展開照射位置においては、正面灯４０ａ、サイド灯４０ｂが全て正面方向を向き、後に説明する図１０の照度分布図に表すように、正面方向の特定の位置を集中的に照らすことができる。
【００１４】
次に、正面灯４０ａとサイド灯４０ｂの構成を図４を用いて説明する。本発明を構成する正面灯４０ａ、サイド灯４０ｂは、ケース部４４と、このケース部４４内に設置された発光手段と、透光性を有し発光手段からの光を外部に照射するランプカバー４６と、を有している。尚、正面灯４０ａ、サイド灯４０ｂの電源回路は、車載バッテリ、屋外発電機、商用電源等からの電力供給が可能なように直流交流電源対応のものを用いることが好ましい。また、発光手段としては、省電力と長寿命の観点から高照度ＬＥＤを複数配列して構成することが好ましい。また、正面灯４０ａとサイド灯４０ｂは、発光手段からの光を上下左右方向に拡散して照射する拡散照射部４６ａと、発光手段からの光を直線的に照射する直光照射部４６ｂと、を有している。尚、この拡散照射部４６ａ、直光照射部４６ｂはランプカバー４６の凹凸により形成することが好ましい。
【００１５】
ここで、図５に正面灯４０ａ（もしくは、サイド灯４０ｂ）を５ｍ先の垂直壁に向けて照射したときの照度分布図を示す。尚、図５中の数値は照度（ルクス）である。図５に示すように、正面灯４０ａ（もしくは、サイド灯４０ｂ）の正面方向は直光照射部４６ｂからの光が照射され、照射点の中心から半径約１ｍ以内では１００ルクス以上の高照度を示す。また、拡散照射部４６ａは光を上下左右方向に拡散し、５ｍ先において半径約１２ｍの広範囲を照らすことがわかる。
【００１６】
次に、正面灯ヒンジ部３０、サイド灯ヒンジ部６０の構成を図６を用いて説明する。先ず、正面灯ヒンジ部３０は、基体部２０と正面灯４０ａとを保持プレート４２ａを介して接続するものであり、図６（ａ）に示すように、基体部２０の前面２２の上方、例えば上面２０ａの前側に固定された正面仰動ヒンジ３２ａと、正面灯４０ａの保持プレート４２ａに固定した正面俯動ヒンジ３２ｂと、これら正面仰動ヒンジ３２ａと正面俯動ヒンジ３２ｂとを繋ぐ正面俯動アーム３２ｃと、を有している。尚、正面仰動ヒンジ３２ａと正面俯動ヒンジ３２ｂとは、任意の角度で位置が固定するフリーストップ型のトルクヒンジ等を用いることが好ましい。また、図６（ａ）及び後述の図７では、正面仰動ヒンジ３２ａの一端を上面２０ａの前側に固定するとともに、正面俯動アーム３２ｃを直線の単板で構成し、さらに正面俯動アーム３２ｃの表面側に正面仰動ヒンジ３２ａの他端と正面俯動ヒンジ３２ｂの一端を固定した例を示している。
【００１７】
また、サイド灯ヒンジ部６０は、展開プレート５２とサイド灯４０ｂとを保持プレート４２ｂを介して接続するものであり、図６（ｂ）に示すように、展開プレート５２の上部に固定された仰動ヒンジ６２ａと、サイド灯４０ｂの保持プレート４２ｂに固定した俯動ヒンジ６２ｂと、これら仰動ヒンジ６２ａと俯動ヒンジ６２ｂとを繋ぐ俯動アーム６２ｃと、を有している。尚、仰動ヒンジ６２ａと俯動ヒンジ６２ｂとは、正面灯ヒンジ部３０と同様に任意の角度で位置が固定するフリーストップ型のトルクヒンジ等を用いることが好ましい。また、図６（ｂ）及び後述の図８では、仰動ヒンジ６２ａの一端を展開プレート５２の表面に固定するとともに、俯動アーム６２ｃをクランク状に屈曲した板状部材とし、このクランク状の俯動アーム６２ｃの上側の凹部に仰動ヒンジ６２ａの他端が収まるように固定し、俯動アーム６２ｃの下側の凹部に俯動ヒンジ６２ｂの一端が収まるように固定した例を示している。
【００１８】
次に、正面灯ヒンジ部３０の動作と正面灯４０ａの照射方向の関係を図７を用いて説明する。先ず、図７（ａ）に示すように、正面灯ヒンジ部３０が折畳状態、即ち上面２０ａと正面俯動アーム３２ｃとのなす角が９０°で正面俯動アーム３２ｃと保持プレート４２ａとが略平行な場合、正面灯４０ａは基体部２０の前面２２と略平行となる。そして、正面灯４０ａの直光照射部４６ｂは照明装置１００の正面の特定の位置を照らすとともに、拡散照射部４６ａの照射光は正面方向に拡散して正面方向の周囲を照らす。
【００１９】
また、ユーザが摘み部４３ａを持ち上げると、図７（ｂ）に示すように、正面灯４０ａは保持プレート４２ａ、正面俯動アーム３２ｃとともに正面仰動ヒンジ３２ａを軸に上方向に回動する。そして、任意の角度で固定する。これにより、正面灯４０ａは基体部２０の前面２２に対して所定の仰角で上方を向き、直光照射部４６ｂは照明装置１００の正面上方の特定の位置を照らすとともに、拡散照射部４６ａは正面上方の周囲を照らす。尚、図７（ｂ）では正面灯４０ａが真上を向いた例を図示している。
【００２０】
また、図７（ｂ）の状態において、正面俯動アーム３２ｃを保持しながら摘み部４３ａを下げると、図７（ｃ）に示すように、正面灯４０ａは正面俯動ヒンジ３２ｂを軸に下方向に回動する。そして、任意の角度で固定する。このとき、正面灯４０ａは基体部２０の前面２２に対して所定の俯角で下方を向き、直光照射部４６ｂは照明装置１００の正面下方の特定の位置を照らすとともに、拡散照射部４６ａは正面下方の周囲を照らす。
【００２１】
次に、サイド灯ヒンジ部６０の動作とサイド灯４０ｂの照射方向の関係を図８を用いて説明する。先ず、図８（ａ）に示すように、サイド灯ヒンジ部６０が折畳状態、即ち上面２０ａと俯動アーム６２ｃとが９０°の位置にあり、俯動アーム６２ｃと保持プレート４２ｂとが略平行な場合、サイド灯４０ｂは展開プレート５２と略平行となる。そして、サイド灯４０ｂの直光照射部４６ｂは展開プレート５２の正面方向の特定の位置を照らすとともに、拡散照射部４６ａの照射光は展開プレート５２の正面方向に拡散してこの方向の周囲を照らす。
【００２２】
また、ユーザがサイド灯４０ｂの摘み部４３ａを持ち上げると、図８（ｂ）に示すように、サイド灯４０ｂは保持プレート４２ｂ、俯動アーム６２ｃとともに仰動ヒンジ６２ａを軸に上方向に回動する。そして、任意の角度で固定する。このとき、サイド灯４０ｂは展開プレート５２に対して所定の仰角で上方を向き、直光照射部４６ｂは展開プレート５２の正面方向上方の特定の位置を照らすとともに、拡散照射部４６ａは展開プレート５２の正面方向上方の周囲を照らす。尚、図８（ｂ）ではサイド灯４０ｂが真上を向いた例を図示している。
【００２３】
また、図８（ｂ）の状態において、俯動アーム６２ｃを保持しながら摘み部４３ａを下げると、図８（ｃ）に示すように、サイド灯４０ｂは俯動ヒンジ６２ｂを軸に下方向に回動する。そして、任意の角度で固定する。このとき、サイド灯４０ｂは展開プレート５２に対して所定の俯角で下方を向き、直光照射部４６ｂは展開プレート５２の正面方向下方の特定の位置を照らすとともに、拡散照射部４６ａは展開プレート５２の正面方向下方の周囲を照らす。
【００２４】
そして、図１に示す広域照射位置では前述のように正面灯４０ａ、サイド灯４０ｂが基体部２０の３つの側面に略平行に外側を向き、正面灯４０ａ、サイド灯４０ｂの拡散照射部４６ａが基体部２０の上下左右方向を３６０°死角なく照らす。ここで、照明装置１００を地上から３ｍに位置に置き、図１に示した広域照射時の地表面の照度分布図を図９（ａ）に示す。また、図９（ｂ）に、このときの基体部２０の頂方向の１０ｍ先の垂直壁での照度分布図を示す。尚、図９中の数値は照度（ルクス）である。図９（ａ）から広域照射時の照明装置１００は、正面灯４０ａ、サイド灯４０ｂの面方向で約２５ｍ、頂方向でも約２０ｍ先の地表面を照らすことがわかる。また、図９（ｂ）から正面灯４０ａとサイド灯４０ｂとの間に位置する基体部２０の頂方向においても１０ｍ先で上下約１５ｍを照らし、中央部では８ルクスを示すことがわかる。これらのことから、照明装置１００は広域照射時において光を３６０°全方向に死角無く照射することがわかる。そして、この広域照射位置の状態において、正面灯４０ａ及びサイド灯４０ｂの仰角を変化させることで、正面灯４０ａ、サイド灯４０ｂは照明装置１００の上方を照らすことができる。また、正面灯４０ａ及びサイド灯４０ｂの俯角を変化させることで、照明装置１００の下方を照らすことができる。
【００２５】
また、図２に示す展開照射位置では正面灯４０ａ及び左右のサイド灯４０ｂが全て正面方向に光を照射する。ここで、照明装置１００の展開照射時の３０ｍ先の垂直壁の照度分布図を図１０に示す。図１０から展開照射時の照明装置１００は３０ｍ先で半径約３０ｍの範囲を照らし、特に正面灯４０ａ、サイド灯４０ｂの正面である中央部分では半径約５ｍの範囲で１０ルクス以上の照度を示すことがわかる。これにより、例えば基体部２０を支柱に対して回転させることで照射光の水平方向を変化させるとともに、正面灯４０ａ、サイド灯４０ｂの仰角、俯角を変化させることで、照明装置１００を投光器として機能させることができる。
【００２６】
さらに、正面灯４０ａ、サイド灯４０ｂの仰角俯角及び展開プレート５２の展開角度はそれぞれ独立して変化させることができる。このため本発明に係る照明装置１００では使用現場や目的に応じて正面灯４０ａと左右のサイド灯４０ｂの方向をそれぞれ独自に設定することができ、極めて応用性、汎用性に優れた照明装置として機能する。
【００２７】
次に、本発明に係る照明装置１００に好適な支柱の例を図１１、図１２に示す。ここで、図１１では本発明に好適な支柱８０を３本の主脚１０ａと３本の副脚１０ｂとを備えた三脚（六脚）に適用した例を示している。また、図１２は本発明に好適な支柱８０の模式的な断面図を示している。
【００２８】
図１１、図１２に示す本発明に好適な支柱８０は伸縮機構を有しており、内筒８２ａと、この内筒８２ａを収容可能な中筒８２ｂと、この中筒８２ｂを収容可能な外筒８２ｃと、を有している。そして、内筒８２ａ、中筒８２ｂが中筒８２ｂ、外筒８２ｃ内をそれぞれスライド移動することで、支柱８０は伸縮する。尚、ここでは支柱８０を内筒８２ａ、中筒８２ｂ、外筒８２ｃの３本で構成した例を示しているが、支柱８０の構成本数には特に限定は無く、少なくとも２本以上で伸縮機構を有していれば良い。
【００２９】
また、内筒８２ａ、中筒８２ｂの下端には中筒８２ｂ、外筒８２ｃ内の気密状態をある程度維持するパッキン部材８４が設けられている。また、外筒８２ｃの下端にはユーザの動作等により内部の気密状態を開放するクリックボール等の逆止弁機構８６が設けられている。尚、支柱８０は内筒８２ａ、中筒８２ｂをスライド移動して目的の長さに伸長した後、周知のロック機構等により本固定することが好ましい。
【００３０】
次に、本発明に好適な支柱８０の特徴的な構成を説明する。本発明に好適な支柱８０は、パッキン部材８４の一部に所定の厚みのシリコンスポンジ層８８を有している。尚、シリコンスポンジ層８８は低硬度のものが好ましく、押込み硬さがタイプＥ（ショアＥ）で３０〜３５程度のものが特に好ましい。この構成によれば、逆止弁機構８６が内部の気密状態を開放し且つロック機構を解除した時に、シリコンスポンジ層８８が外筒８２ｃ、中筒８２ｂの内壁を適度な抵抗で摺動し内筒８２ａ、中筒８２ｂの急激なスライド下降を緩和する。これにより、従来よりも低コストで構造が簡易なダンパ機構を得ることができる。
【００３１】
以上のように、本発明に係る照明装置１００は、略正三角柱形状の基体部２０を有し、それぞれの側面に正面灯４０ａ、サイド灯４０ｂを有している。また、正面灯４０ａ、サイド灯４０ｂは、光を上下左右方向に拡散して照射する拡散照射部４６ａと、光を直線的に照射する直光照射部４６ｂと、を有している。そして、正面灯４０ａ、サイド灯４０ｂが基体部２０の３つの側面に沿って外側を向いた広域照射位置においては、正面灯４０ａ、サイド灯４０ｂの拡散照射部４６ａが基体部２０の上下左右方向を３６０°死角なく照らす。また、正面灯４０ａ及びサイド灯４０ｂの仰角を変化させることで、照明装置１００の上方を照らすことができる。
【００３２】
また、照明装置１００の正面灯ヒンジ部３０及びサイド灯ヒンジ部６０は、それぞれ所定の長さの正面俯動アーム３２ｃ、俯動アーム６２ｃを有している。そして、正面俯動アーム３２ｃ、俯動アーム６２ｃを外側に立ち上げた状態で正面灯４０ａ、サイド灯４０ｂを下方に回動させることで、正面灯４０ａ、サイド灯４０ｂを下に向けることが可能となる。これにより、照明装置１００は下方も照らすことができる。
【００３３】
また、本発明に係る照明装置１００はサイド灯４０ｂが展開プレート５２を介して固定され、展開プレート５２が開いた展開照射位置では正面灯４０ａ及び左右のサイド灯４０ｂが全て正面方向に光を照射する。そして、基体部２０の回転及び正面灯４０ａ、サイド灯４０ｂの仰角、俯角を変化させることで、照明装置１００を投光器として機能させることができる。
【００３４】
またさらに、正面灯４０ａ、サイド灯４０ｂの仰角俯角及び展開プレート５２の展開角度はそれぞれ独立して変化させることができる。これにより、正面灯４０ａと左右のサイド灯４０ｂの方向をそれぞれ独自に設定することができ、極めて応用性、汎用性に優れた照明装置として機能する。
【００３５】
またさらに、本発明に係る照明装置１００はコンパクトでサイズが小さく、持ち運びや積載性に優れていることに加え、取り扱いが楽で風雨にも強く悪天候時でも安定して使用することができる。
【００３６】
尚、本例で示した照明装置１００の各部材の構成、形状等は一例であり、本発明は本発明の要旨を逸脱しない範囲で変更して実施することが可能である。
【符号の説明】
【００３７】
２０    基体部
２４    側辺ヒンジ
２８    支柱ホルダ
３０    正面灯ヒンジ部
３２ａ  正面仰動ヒンジ
３２ｂ  正面俯動ヒンジ
３２ｃ  正面俯動アーム
４０ａ  正面灯
４０ｂ  サイド灯
４６ａ  拡散照射部
４６ｂ  直光照射部
５２    展開プレート
６０    サイド灯ヒンジ部
６２ａ  仰動ヒンジ
６２ｂ  俯動ヒンジ
６２ｃ  俯動アーム
１００  照明装置
【図１】
2018195420.tif 000003
【図２】
2018195420.tif 000004
【図３】
2018195420.tif 000005
【図４】
2018195420.tif 000006
【図５】
2018195420.tif 000007
【図６】
2018195420.tif 000008
【図７】
2018195420.tif 000009
【図８】
2018195420.tif 000010
【図９】
2018195420.tif 000011
【図１０】
2018195420.tif 000012
【図１１】
2018195420.tif 000013
【図１２】
2018195420.tif 000014